(57)【特許請求の範囲】
【請求項１】
端末装置に適用され、周波数帯域情報によりネットワークサービスを取得する方法であって、
前記端末装置がチャネル接続を確立することと、
前記端末装置は前記端末装置が最終周波数帯域情報を有しないと判断する場合、前記端末装置は前記端末装置の型番、移動国コードMCC及び移動ネットワークコードMNCに基づいて、前記端末装置の各システムの最終周波数帯域情報を生成することと、
前記端末装置が前記最終周波数帯域情報に基づいて、ネットワークサービスを取得することと、を含み、
前記最終周波数帯域情報は、最終使用可能な周波数帯域情報及び最終使用禁止周波数帯域情報を含み、
前記端末装置は前記端末装置が最終周波数帯域情報を有しないと判断する場合、前記端末装置は前記端末装置の型番、移動国コードMCC及び移動ネットワークコードMNCに基づいて、前記端末装置の最終周波数帯域情報を生成することは、
前記端末装置が前記端末装置の登録ネットワークのMCCとMNCを取得することと、
前記端末装置が前記端末装置の型番、MCC及びMNCに基づいて、設定情報テーブルから前記端末装置の各システムの使用可能な周波数帯域情報及び使用禁止周波数帯域情報を検索することと、
前記端末装置が前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成することと、を含む周波数帯域情報によりネットワークサービスを取得する方法。
【請求項２】
前記端末装置が前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成することは、
前記端末装置が前記端末装置のサポートする各システムの周波数帯域情報、及び検索した前記端末装置の各システムの使用可能な周波数帯域情報に対して、各システムに従ってそれぞれAND操作を行い、それから各システムのAND操作後の結果に対してOR操作を行い、前記OR操作の結果を前記端末装置の最終使用可能な周波数帯域情報とすることと、
前記端末装置が前記端末装置のサポートする各システムの周波数帯域情報、及び検索した前記端末装置の各システムの使用禁止周波数帯域情報に対して、各システムに従ってそれぞれAND操作を行い、それから各システムのAND操作後の結果に対して再びAND操作を行い、前記再びAND操作を行った結果を前記端末装置の最終使用禁止周波数帯域情報とすることと、を含む請求項1に記載の方法。
【請求項３】
前記端末装置が前記最終周波数帯域情報に基づいて、ネットワークサービスを取得することは、
前記端末装置がネットワークサービス取得要求を再び開始し、前記ネットワークサービス取得要求には前記端末装置の最終使用可能な周波数帯域情報及び最終使用禁止周波数帯域情報が含まれることを含む請求項1に記載の方法。
【請求項４】
前記端末装置のシステムは、グローバル移動通信システムGSM(登録商標)、広帯域符号分割多元接続WCDMA(登録商標)及びロングタームエボリューションLTEのうちの1種又は多種のシステムを含む請求項1〜3のいずれか1項に記載の方法。
【請求項５】
端末装置に設置され、周波数帯域情報によりネットワークサービスを取得する装置であって、
チャネル接続を確立するように設定される接続モジュールと、
前記端末装置は前記端末装置が最終周波数帯域情報を有しないと判断する場合、前記端末装置の型番、移動国コードMCC及び移動ネットワークコードMNCに基づいて、前記端末装置の各システムの最終周波数帯域情報を生成するように設定される生成モジュールと、
前記最終周波数帯域情報に基づいて、ネットワークサービスを取得するように設定されるサービス取得モジュールと、を備え、
前記最終周波数帯域情報は、最終使用可能な周波数帯域情報及び最終使用禁止周波数帯域情報を含み、
前記生成モジュールは取得サブモジュール、検索サブモジュール及び生成サブモジュールを備え、
前記取得サブモジュールは、前記端末装置の登録ネットワークのMCCとMNCを取得するように設定され、
前記検索サブモジュールは、前記端末装置の型番、MCC及びMNCに基づいて、設定情報テーブルから前記端末装置の各システムの使用可能な周波数帯域情報及び使用禁止周波数帯域情報を検索するように設定され、
前記生成サブモジュールは、前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成するように設定される周波数帯域情報によりネットワークサービスを取得する装置。
【請求項６】
前記生成サブモジュールは、前記端末装置のサポートする各システムの周波数帯域情報、及び検索した前記端末装置の各システムの使用可能な周波数帯域情報に対して、各システムに従ってそれぞれAND操作を行い、それから各システムのAND操作後の結果に対してOR操作を行い、前記OR操作の結果を前記端末装置の最終使用可能な周波数帯域情報とし、前記端末装置のサポートする各システムの周波数帯域情報、及び検索した前記端末装置の各システムの使用禁止周波数帯域情報に対して、各システムに従ってそれぞれAND操作を行い、それから各システムのAND操作後の結果に対して再びAND操作を行い、前記再びAND操作を行った結果を前記端末装置の最終使用禁止周波数帯域情報とするように設定される請求項5に記載の装置。
【請求項７】
前記サービス取得モジュールは、ネットワークサービス取得要求を再び開始するように設定され、前記ネットワークサービス取得要求には前記端末装置の最終使用可能な周波数帯域情報及び最終使用禁止周波数帯域情報が含まれる請求項6に記載の装置。
【請求項８】
前記端末装置のシステムは、グローバル移動通信システムGSM(登録商標)、広帯域符号分割多元接続WCDMA(登録商標)及びロングタームエボリューションLTEのうちの1種又は多種のシステムを含む請求項5〜7のいずれか1項に記載の装置。
【請求項９】
コンピュータ実行可能な指令が記憶され、前記コンピュータ実行可能な指令は請求項1〜4のいずれか1項に記載の方法を実行するためのものであるコンピュータ読み取り可能な記憶媒体。
【発明の詳細な説明】
【技術分野】
【０００１】
本願は移動通信技術分野に関するが、これに制限されない。
【背景技術】
【０００２】
現在の無線通信技術の発展に伴って、世界中の各国のネットワークシステムは益々多くなり、そしてサポートする周波数帯域も絶えずに増加しつつある。グローバルサービスが絶えずに融合することにより、端末装置は益々多くなる周波数帯域をサポートして、異なる国家のネットワークに登録する需要を満足する必要がある。現在、グローバルサービスが増加し、同時に端末ユーザも絶えずに増加し、幾つかのネットワーク周波数帯域において、ユーザが多いため、ネットワーク性能の低減を招き、ネットワーク輻輳を引き起こす。
【発明の概要】
【発明が解決しようとする課題】
【０００３】
以下は本文が詳細に説明する主題の概要である。本概要は請求項の保護範囲を制限するためのものではない。
【０００４】
ネットワークサービスの取得効率を向上させるために、本文は周波数帯域情報によりネットワークサービスを取得する方法及び装置を提供する。
【課題を解決するための手段】
【０００５】
端末装置に適用され、周波数帯域情報によりネットワークサービスを取得する方法であって、前記方法は、
前記端末装置がチャネル接続を確立することと、
前記端末装置の最終周波数帯域情報が生成していないと判断する場合、前記端末装置の型番、移動国コードMCC及び移動ネットワークコードMNCに基づいて、前記端末装置の各システムの最終周波数帯域情報を生成することと、
前記端末装置が前記最終周波数帯域情報に基づいて、ネットワークサービスを取得することと、を含む。
【０００６】
選択的に、
前記最終周波数帯域情報は、最終使用可能な周波数帯域情報及び最終使用禁止周波数帯域情報を含み、
前記端末装置の最終周波数帯域情報が生成していないと判断する場合、前記端末装置の型番、移動国コードMCC及び移動ネットワークコードMNCに基づいて、前記端末装置の最終周波数帯域情報を生成することは、
前記端末装置の登録ネットワークのMCCとMNCを取得することと、
前記端末装置の型番、MCC及びMNCに基づいて、設定情報テーブルから前記端末装置の各システムの使用可能な周波数帯域情報及び使用禁止周波数帯域情報を検索することと、
前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成することと、を含む。
【０００７】
選択的に、
前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成することは、
前記端末装置のサポートする各システムの周波数帯域情報、及び検索した前記端末装置の各システムの使用可能な周波数帯域情報に対して、各システムに従ってそれぞれAND操作を行い、それから各システムのAND操作後の結果に対してOR操作を行い、前記OR操作の結果を前記端末装置の最終使用可能な周波数帯域情報とすることと、
前記端末装置のサポートする各システムの周波数帯域情報、及び検索した前記端末装置の各システムの使用禁止周波数帯域情報に対して、各システムに従ってそれぞれAND操作を行い、それから各システムのAND操作後の結果に対して再びAND操作を行い、前記再びAND操作を行った結果を前記端末装置の最終使用禁止周波数帯域情報とすることと、を含む。
【０００８】
選択的に、
前記端末装置が前記最終周波数帯域情報に基づいて、ネットワークサービスを取得することは、
ネットワークサービス取得要求を再び開始し、前記ネットワークサービス取得要求には前記端末装置の最終使用可能な周波数帯域情報及び最終使用禁止周波数帯域情報が含まれることを含む。
【０００９】
選択的に、
前記端末装置のシステムは、グローバル移動通信システムGSM(登録商標)、広帯域符号分割多元接続WCDMA(登録商標)及びロングタームエボリューションLTEのうちの1種又は多種のシステムを含む。
【００１０】
端末装置に設置され、周波数帯域情報によりネットワークサービスを取得する装置であって、前記装置は、
チャネル接続を確立するように設定される接続モジュールと、
前記端末装置の最終周波数帯域情報が生成していないと判断する場合、前記端末装置の型番、移動国コードMCC及び移動ネットワークコードMNCに基づいて、前記端末装置の各システムの最終周波数帯域情報を生成するように設定される生成モジュールと、
前記最終周波数帯域情報に基づいて、ネットワークサービスを取得するように設定されるサービス取得モジュールと、を備える。
【００１１】
選択的に、
前記最終周波数帯域情報は、最終使用可能な周波数帯域情報及び最終使用禁止周波数帯域情報を含み、
前記生成モジュールは取得サブモジュール、検索サブモジュール及び生成サブモジュールを備え、
前記取得サブモジュールは、前記端末装置の登録ネットワークのMCCとMNCを取得するように設定され、
前記検索サブモジュールは、前記端末装置の型番、MCC及びMNCに基づいて、設定情報テーブルから前記端末装置の各システムの使用可能な周波数帯域情報及び使用禁止周波数帯域情報を検索するように設定され、
前記生成サブモジュールは、前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成するように設定される。
【００１２】
選択的に、
前記生成サブモジュールは、前記端末装置のサポートする各システムの周波数帯域情報、及び検索した前記端末装置の各システムの使用可能な周波数帯域情報に対して、各システムに従ってそれぞれAND操作を行い、それから各システムのAND操作後の結果に対してOR操作を行い、前記OR操作の結果を前記端末装置の最終使用可能な周波数帯域情報とし、前記端末装置のサポートする各システムの周波数帯域情報、及び検索した前記端末装置の各システムの使用禁止周波数帯域情報に対して、各システムに従ってそれぞれAND操作を行い、それから各システムのAND操作後の結果に対して再びAND操作を行い、前記再びAND操作を行った結果を前記端末装置の最終使用禁止周波数帯域情報とするように設定される。
【００１３】
選択的に、
前記サービス取得モジュールは、ネットワークサービス取得要求を再び開始するように設定され、前記ネットワークサービス取得要求には前記端末装置の最終使用可能な周波数帯域情報及び最終使用禁止周波数帯域情報が含まれる。
【００１４】
選択的に、
前記端末装置のシステムは、グローバル移動通信システムGSM(登録商標)、広帯域符号分割多元接続WCDMA(登録商標)及びロングタームエボリューションLTEのうちの1種又は多種のシステムを含む。
【００１５】
コンピュータ読み取り可能な記憶媒体であって、コンピュータ実行可能な指令が記憶され、前記コンピュータ実行可能な指令は上記のいずれか1項に記載の方法を実行するためのものである。
【発明の効果】
【００１６】
上記方案は端末の登録したRPLMN（Registered Public Land Mobile Network、登録地上波公共移動通信ネットワーク）のMCC（Mobile Country Code、移動国コード）とMNC（Mobile Network Code、移動ネットワークコード）を取得することにより、同時に端末の型番に基づいて、端末の登録した周波数帯域を制御し、端末がネットワークサービスを取得する時間を効果的に速め、ネットワークサービスの取得効率及びネットワークの利用率を向上させる。
【００１７】
図面及び詳細の説明を読んで理解した後、他の方面を理解できる。
【図面の簡単な説明】
【００１８】
【図１】図1は本発明の実施例1における周波数帯域情報によりネットワークサービスを取得する方法のフローチャートである。
【図２】図2は本発明の実施例1における周波数帯域情報によりネットワークサービスを取得する装置の構造模式図である。
【図３】図3は本発明の実施例2における周波数帯域情報によりネットワークサービスを取得する方法のフローチャートである。
【図４】図4は本発明の実施例2における設定情報テーブルにおけるデータ記憶の構造模式図である。
【発明を実施するための形態】
【００１９】
以下、図面を参照しながら本文の実施形態を詳しく説明する。なお、衝突しない場合に、本書類における実施例及び実施例における特徴を互いに任意に組み合わせることができる。
【００２０】
実施例1
図1に示すように、本発明の実施例は、端末装置に適用され、周波数帯域情報によりネットワークサービスを取得する方法を提供し、前記方法は下記ステップS101〜S103を含む。
【００２１】
ステップS101、端末装置がチャネル接続を確立する。
【００２２】
ステップS102、端末装置の最終周波数帯域情報が生成していないと判断する場合、端末装置の型番、移動国コードMCC及び移動ネットワークコードMNCに基づいて、端末装置の各システムの最終周波数帯域情報を生成する。
【００２３】
その中、最終周波数帯域情報は、最終使用可能な周波数帯域情報及び最終使用禁止周波数帯域情報を含み、端末装置のシステムは、グローバル移動通信システムGSM(登録商標)、広帯域符号分割多元接続WCDMA(登録商標)及びロングタームエボリューションLTEのうちの1種又は多種のシステムを含む。
【００２４】
ステップS102は、
端末装置の登録ネットワークのMCCとMNCを取得することと、
端末装置の型番、MCC及びMNCに基づいて、設定情報テーブルから端末装置の各システムの使用可能な周波数帯域情報及び使用禁止周波数帯域情報を検索することと、
端末装置のサポートする各システムの周波数帯域情報、及び検索した端末装置の各システムの使用可能な周波数帯域情報と使用禁止周波数帯域情報に基づいて、端末装置の各システムの最終使用可能な周波数帯域情報及び最終使用禁止周波数帯域情報を生成することと、を含んでもよい。
【００２５】
ステップS102は更に、
端末装置のサポートする各システムの周波数帯域情報、及び検索した端末装置の各システムの使用可能な周波数帯域情報に対して、各システムに従ってそれぞれAND操作を行い、それから各システムのAND操作後の結果に対してOR操作を行い、OR操作の結果を前記端末装置の最終使用可能な周波数帯域情報とすることと、
端末装置のサポートする各システムの周波数帯域情報、及び検索した端末装置の各システムの使用禁止周波数帯域情報に対して、各システムに従ってそれぞれAND操作を行い、それから各システムのAND操作後の結果に対して再びAND操作を行い、再びAND操作を行った結果を前記端末装置の最終使用禁止周波数帯域情報とすることと、を含んでもよい。
【００２６】
ステップS103、前記端末装置が前記最終周波数帯域情報に基づいて、ネットワークサービスを取得する。
【００２７】
ステップS103は、ネットワークサービス取得要求を再び開始し、前記ネットワークサービス取得要求には端末装置の最終使用可能な周波数帯域情報及び最終使用禁止周波数帯域情報が含まれることを含んでもよい。
【００２８】
図2に示すように、本発明の実施例は、端末装置に設置され、周波数帯域情報によりネットワークサービスを取得する装置を更に提供し、前記装置は、
チャネル接続を確立するように設定される接続モジュール11と、
前記端末装置の最終周波数帯域情報が生成していないと判断する場合、前記端末装置の型番、移動国コードMCC及び移動ネットワークコードMNCに基づいて、前記端末装置の各システムの最終周波数帯域情報を生成するように設定される生成モジュール12と、
前記最終周波数帯域情報に基づいて、ネットワークサービスを取得するように設定されるサービス取得モジュール13と、を備える。
【００２９】
その中、前記最終周波数帯域情報は、最終使用可能な周波数帯域情報及び最終使用禁止周波数帯域情報を含み、端末装置のシステムは、グローバル移動通信システムGSM(登録商標)、広帯域符号分割多元接続WCDMA(登録商標)及びロングタームエボリューションLTEのうちの1種又は多種のシステムを含む。
【００３０】
選択的に、
前記生成モジュール12は取得サブモジュール、検索サブモジュール及び生成サブモジュールを備え、 
前記取得サブモジュールは、前記端末装置の登録ネットワークのMCCとMNCを取得するように設定され、
前記検索サブモジュールは、前記端末装置の型番、MCC及びMNCに基づいて、設定情報テーブルから前記端末装置の各システムの使用可能な周波数帯域情報及び使用禁止周波数帯域情報を検索するように設定され、
前記生成サブモジュールは、前記端末装置のサポートする各システムの周波数帯域情報、及び検索した前記端末装置の各システムの使用可能な周波数帯域情報と使用禁止周波数帯域情報に基づいて、前記端末装置の各システムの最終使用可能な周波数帯域情報及び最終使用禁止周波数帯域情報を生成するように設定される。
【００３１】
選択的に、
前記生成サブモジュールは、前記端末装置のサポートする各システムの周波数帯域情報、及び検索した前記端末装置の各システムの使用可能な周波数帯域情報に対して、各システムに従ってそれぞれAND操作を行い、それから各システムのAND操作後の結果に対してOR操作を行い、前記OR操作の結果を前記端末装置の最終使用可能な周波数帯域情報とし、前記端末装置のサポートする各システムの周波数帯域情報、及び検索した前記端末装置の各システムの使用禁止周波数帯域情報に対して、各システムに従ってそれぞれAND操作を行い、それから各システムのAND操作後の結果に対して再びAND操作を行い、前記再び行ったAND操作の結果を前記端末装置の最終使用禁止周波数帯域情報とするように設定される。
【００３２】
サービス取得モジュール13は、ネットワークサービス取得要求を再び開始するように設定され、前記ネットワークサービス取得要求には前記端末装置の最終使用可能な周波数帯域情報及び最終使用禁止周波数帯域情報が含まれる。
【００３３】
上記技術方案は周波数帯域情報によりネットワークサービスを取得し、ネットワークの取得時間を速め、ネットワークの利用率を向上させることができる。 
【００３４】
実施例2
以下、移動端末装置を例として、本発明の実施例による技術方案を更に説明する。
【００３５】
図3に示すように、本実施例は、端末装置に適用され、周波数帯域情報によりネットワークサービスを取得する方法を提供する。前記方法は下記ステップ301〜310を含む。
【００３６】
ステップ301、移動端末装置は起動し、初期化情報をロードし、設定情報テーブルを取得し、移動端末装置の型番を取得し、ネットワークサービス取得識別子を取得し、初期化の際にデフォルトで該識別子がFalseである。 
【００３７】
ステップ302、移動端末装置は周波数帯域のスキャンを行い、チャネル接続を確立し、システムブロードキャストメッセージを取得する。 
【００３８】
ステップ303、セル測定を開始し、適当なセルに駐在する。
【００３９】
ステップ304、周波数帯域情報によりネットワークサービスを取得する機能を実行したことがあるかどうかを判定し、既に実行した場合、続いてステップ309を実行し、実行していない場合、続いてステップ305を実行する。
【００４０】
ステップ305、移動端末装置の登録ネットワークのMCCとMNCを取得し、同時にシグナリングメッセージから端末のサポートする各システムの周波数帯域情報を取得する。
【００４１】
ステップ306、登録ネットワークのMCC、MNC及び端末の型番に従って、設定情報テーブルから対応の各システムのEnable（使用可能）周波数帯域及びDisable（使用禁止）周波数帯域情報を検索する。
【００４２】
図4は設定情報テーブルにおけるデータ記憶の構造模式図である。該設定情報テーブルにおいて、MCC、MNC及び端末装置の型番に基づいて、該端末装置のGSM(登録商標)、WCDMA(登録商標)、LTEの3種のシステムのEnableとDisableの周波数帯域情報を唯一的に確定することができる。例えばMCC/MNCが46000で、端末装置の型番がAであれば、該端末装置の3つのシステムでのEnableとDisableの周波数帯域情報に対応する。又は、MCC/MNCが46000で、端末装置の型番がBであれば、他の1グループのEnableとDisableの周波数帯域情報に対応する。
【００４３】
ステップ307、移動端末装置のサポートする各システムの周波数帯域情報と、設定情報テーブルにおける取得した各システムのEnable周波数帯域に対してAND操作を行い、それから移動端末装置のサポートする該周波数帯域情報とOR操作を行い、移動端末装置の該システムにおいてEnableの必要がある周波数帯域情報を取得し、移動端末装置のサポートする該システムの周波数帯域情報と設定情報テーブルにおける該システムのDisable周波数帯域情報に対してAND操作を行い、最終的に該システムのDisableの周波数帯域情報を取得する。
【００４４】
ステップ308、新しい周波数帯域情報を含ませて、ネットワークサービス取得要求を再び開始し、同時にネットワークサービス取得識別子をTrueに設定し、ステップ302を実行する。 
【００４５】
ステップ309、位置登録を開始し、ネットワークに正常に駐在し、ネットワークサービスを取得する。
【００４６】
ステップ310、ネットワークサービスの取得過程は終了し、移動端末装置は正常にネットワークに駐在する。 
【００４７】
当業者が理解できるように、上記実施例の全部又は一部のステップはコンピュータプログラムフローにより実現されることができ、前記コンピュータプログラムはコンピュータ読み取り可能な記憶媒体に記憶されることができ、前記コンピュータプログラムは対応するハードウェアプラットフォーム（例えば、システム、設備、装置、デバイス等）において実行され、実行される時、方法の実施例のステップの1つ又はその組合せを含む。
【００４８】
選択的に、上記実施例の全部又は一部のステップは集積回路により実現されることもでき、これらのステップはそれぞれ各集積回路モジュールに製作されてもよく、又はそれらのうちの複数のモジュール又はステップを単一の集積回路モジュールに製作して実現してもよい。
【００４９】
上記実施例における装置/機能モジュール/機能ユニットは汎用のコンピュータ装置により実現されることができ、それらは単一のコンピュータ装置に集中してもよく、複数のコンピュータ装置からなるネットワークに分布してもよい。
【００５０】
上記実施例における装置/機能モジュール/機能ユニットはソフトウェア機能モジュールの形式で実現され且つ独立の製品として販売され又は使用される場合、コンピュータ読み取り可能な記憶媒体に記憶されることができる。上記コンピュータ読み取り可能な記憶媒体は読み出し専用メモリ、ディスク又は光ディスク等であってもよい。
【産業上の利用可能性】
【００５１】
本発明の実施例は端末の登録したMCCとMNCを取得することにより、同時に端末の型番に基づいて、端末の登録した周波数帯域を制御し、端末がネットワークサービスを取得する時間を効果的に速め、ネットワークサービスの取得効率及びネットワークの利用率を向上させる。
【図１】
0006464279.tif 000002
【図２】
0006464279.tif 000003
【図３】
0006464279.tif 000004
【図４】
0006464279.tif 000005